(57)【要約】【課題】意匠性を損なうことなく、客室内の快適性を更に向上させることができる空気調和システムの提供。【解決手段】空気調和システム１３，１１３，２１３は、空気調和機１４，１１４，２１４と、ナイトパネル５０，１５０，２５０と、空調制御装置３０，１３０，２３０とを備えている。空気調和機１４，１１４，２１４は、空気調和が施された空気である調和空気を宿泊施設の客室８０，１８０，２８０に供給する。ナイトパネル５０，１５０，２５０では、客室８０，１８０，２８０へ供給される調和空気の風量が設定される。また、空調制御装置３０，１３０，２３０は、風量の設定に応じて第１設定温度を第２設定温度に変更する。さらに、空調制御装置３０，１３０，２３０は、風量の設定および第２設定温度に基づいて空気調和機１４，１１４，２１４を制御する。【選択図】図１
2009085514.tif 000002
【特許請求の範囲】
【請求項１】
空気調和が施された空気である調和空気を宿泊施設の客室（８０，１８０，２８０）に供給する空気調和部（１４，１１４，２１４）と、
前記客室（８０，１８０，２８０）へ供給される前記調和空気の風量を設定するための風量設定部（５０，６０，１５０，１６０，２５０，２６０）と、
第１設定温度を前記風量の設定に応じて第２設定温度に変更し、前記風量の設定および前記第２設定温度に基づいて前記空気調和部（１４，１１４，２１４）を制御する制御部（３０，７０，１３０，２３０）と、
を備える空気調和システム（１３，１１３，２１３）。
【請求項２】
前記制御部（３０，２３０）は、前記風量の設定に応じて補正値を決定し、前記補正値に基づいて前記第１設定温度を変更する、
請求項１に記載の空気調和システム（１３，２１３）。
【請求項３】
前記風量設定部（５０，１５０，２５０）は、前記客室（８０，１８０，２８０）内の空調対象者からの操作をうける操作部（５１，１５１，２５１）を有し、
前記制御部（３０，１３０，２３０）は、前記操作部（５１，１５１，２５１）における操作に基づいて前記第１設定温度を変更する、
請求項１または２に記載の空気調和システム（１３，１１３，２１３）。
【請求項４】
前記制御部（３０）は、前記操作部（５１）が継続して押される時間に基づいて前記第１設定温度を変更する、
請求項３に記載の空気調和システム（１３）。
【請求項５】
前記制御部（３０，２３０）は、前記操作部（５１，２５１）が所定時間内に押される回数に基づいて前記第１設定温度を変更する、
請求項３または４に記載の空気調和システム（１３，２１３）。
【請求項６】
前記制御部（１３０）は、前記第１設定温度を、前記風量レベル毎に設定されている温度である規定温度に変更する、
請求項１に記載の空気調和システム（１１３）。
【請求項７】
前記制御部（３０，１３０，２３０）は、前記客室（８０，１８０，２８０）への前記調和空気の供給が停止されたときの設定温度を標準温度に決定し、前記客室（８０，１８０，２８０）への前記調和空気の供給が再び開始されるときに前記空気調和部（１４，１１４，２１４）を前記標準温度に基づいて制御する、
請求項１から６のいずれかに記載の空気調和システム（１３，１１３，２１３）。
【請求項８】
前記制御部（３０，１３０，２３０）は、前記客室（８０，１８０，２８０）へ供給される前記調和空気の風量の設定が前記客室（８０，１８０，２８０）の外部から変更されたときに、前記第２設定温度を、前記客室（８０，１８０，２８０）へ供給される前記調和空気の最初の設定温度である初期温度に更に変更する、
請求項１から７のいずれかに記載の空気調和システム（１３，１１３，２１３）。
【請求項９】
前記制御部（７０）は、前記客室（８０，１８０，２８０）の環境情報に基づいて前記初期温度を設定可能である、
請求項８に記載の空気調和システム（１３，１１３，２１３）。
【請求項１０】
空気調和が施された空気である調和空気を室内に供給する空気調和部（１４，１１４，２１４）と、
前記室内の空調対象者からの操作をうける操作部として風量の設定を行う風量設定部（５１，１５１，２５１）だけを有し、前記空気調和部（１４，１１４，２１４）の制御設定を行うための設定部（５０，１５０，２５０）と、
第１設定温度を前記風量の設定に応じて第２設定温度に変更し、前記風量の設定および前記第２設定温度に基づいて前記空気調和部（１４，１１４，２１４）を制御する制御部（３０，７０，１３０，２３０）と、
を備える空気調和システム（１３，１１３，２１３）。
【発明の詳細な説明】
【技術分野】
【０００１】
本発明は、宿泊施設の客室等で使用される空気調和システムに関する。
【背景技術】
【０００２】
従来より、ホテル等の宿泊施設において、調和された空気を客室内に供給することにより、客室内の快適性を向上させる空気調和機を備えた空気調和システムが知られている。この空気調和システムでは、空調対象者が空気調和機の制御設定を操作する操作手段として、客室内のベッドサイドにナイトパネル等の客室用コントローラが設置されている場合が多い。この場合、空調対象者は、ベッドサイドから移動することなく、空気調和機の制御設定を操作することができる。
【０００３】
しかしながら、このナイトパネルには、意匠性を向上させるために、客室内に供給される調和空気の風量を設定する風量設定部だけが設けられ、設定温度を変更するための温度設定部が設けられていない場合がある（特許文献１参照）。
【特許文献１】特開平１０−１４１７４９号公報
【発明の開示】
【発明が解決しようとする課題】
【０００４】
ナイトパネルに温度設定部が設けられていない場合、空気調和機自身が設定温度を変更する機能を有していても、空調対象者は、ベッドサイドで設定温度を変更することができない。このため、この場合でも、空調対象者は、所定の温度に調和された調和空気の客室内への風量を調節するだけで、客室内を快適な状態に調節しなければならないことになる。
【０００５】
本発明の課題は、意匠性を損なうことなく、客室内の快適性を更に向上させることができる空気調和システムを提供することにある。
【課題を解決するための手段】
【０００６】
第１発明に係る空気調和システムは、空気調和部と、風量設定部と、制御部とを備えている。空気調和部は、空気調和が施された空気である調和空気を宿泊施設の客室に供給する。風量設定部では、客室へ供給される調和空気の風量が設定される。また、制御部は、風量の設定に応じて第１設定温度を第２設定温度に変更する。さらに、制御部は、風量の設定および第２設定温度に基づいて空気調和部を制御する。
【０００７】
第１発明に係る空気調和システムでは、制御部は、風量の設定に応じて第１設定温度を第２設定温度に変更し、風量の設定および第２設定温度に基づいて空気調和部を制御する。このため、風量の設定を行うことによって、客室に供給される調和空気の風量の設定だけでなく設定温度も変更することができる。
【０００８】
これによって、意匠性を損なうことなく、客室内の快適性を更に向上させることができる。
【０００９】
第２発明に係る空気調和システムは、第１発明の空気調和システムであって、制御部は、風量の設定に応じて補正値を決定する。また、制御部は、補正値に基づいて第１設定温度を変更する。このため、客室内の空調対象者が風量の設定を行うことによって、第１設定温度を第２設定温度に変更することができる。
【００１０】
これによって、空調対象者が風量の設定を行うだけで、設定温度を変更することができる。
【００１１】
第３発明に係る空気調和システムは、第１発明または第２発明に係る空気調和システムであって、風量設定部は、操作部を有している。操作部は、客室内の空調対象者からの操作を受ける。また、制御部は、操作部における操作に基づいて第１設定温度を変更する。
【００１２】
第３発明に係る空気調和システムでは、制御部は、空調対象者が操作部を操作する状況に基づいて第１設定温度を変更する。このため、空調対象者が設定温度を容易に変更することができる。
【００１３】
第４発明に係る空気調和システムは、第３発明の空気調和システムであって、制御部は、操作部が継続して押される時間に基づいて第１設定温度を変更する。例えば、空調対象者が操作部を所定時間以上押し続けたとき、第１設定温度が第２設定温度に変更される。このため、空調対象者の希望する室内温度に更に近づけることができる。
【００１４】
これによって、空調対象者が風量の設定を行うだけで、客室内の快適性を更に向上させることができる。
【００１５】
第５発明に係る空気調和システムは、第３発明または第４発明の空気調和システムであって、制御部は、操作部が所定時間内に押される回数に基づいて第１設定温度を変更する。例えば、空調対象者が操作部を連続して２回押したとき、第１設定温度が第２設定温度に変更される。このため、空調対象者の希望する室内温度に更に近づけることができる。
【００１６】
これによって、空調対象者が風量の設定を行うだけで、客室内の快適性を更に向上させることができる。
【００１７】
第６発明に係る空気調和システムは、第１発明の空気調和システムであって、制御部は、第１設定温度を、風量レベル毎に設定されている温度である規定温度に変更する。このため、空調対象者が風量の設定を行うことによって、第１設定温度を第２設定温度に変更することができる。
【００１８】
これによって、空調対象者が風量の設定を行うだけで、設定温度を変更することができる。
【００１９】
第７発明に係る空気調和システムは、第１発明から第６発明のいずれかの空気調和システムであって、制御部は、客室への調和空気の供給が停止されたときの設定温度を標準温度に決定する。また、制御部は、客室への調和空気の供給が再び開始されるときに、空気調和部を標準温度に基づいて制御する。
【００２０】
第７発明に係る空気調和システムでは、制御部は、客室への調和空気の供給が一時的に停止され再び開始される場合、標準温度に基づいて空気調和部を制御する。このため、調和空気の供給が停止され再び開始されたとき、設定温度を変更しなくても、供給が停止される直前の設定温度に基づいて調和空気が生成される。
【００２１】
これによって、空調対象者が設定温度を変更する労力をなくすことができる。
【００２２】
第８発明に係る空気調和システムは、第１発明から第７発明のいずれかの空気調和システムであって、制御部は、客室へ供給される調和空気の風量の設定が客室の外部から変更されたときに、第２設定温度を、客室へ供給される調和空気の最初の設定温度である初期温度に変更する。
【００２３】
第８発明に係る空気調和システムでは、制御部は、風量の設定が外部から変更されたときに、第２設定温度を初期温度に変更する。このため、宿泊施設の従業員等が客室の外部から風量の設定を変更することで、自動的に設定温度を初期温度に設定することができる。
【００２４】
これによって、従業員等が客室毎に設定温度を初期温度に設定する労力をなくすることができる。
【００２５】
第９発明に係る空気調和システムは、第８発明の空気調和システムであって、制御部は、客室の環境情報に基づいて初期温度を設定可能である。なお、客室の環境とは、例えば、季節、部屋の間取りおよび空調対象者の性別等が含まれる。このため、各客室の環境によって、快適と予測される室内温度に初期温度を設定することができる。
【００２６】
これによって、各客室における快適性を向上させることができる。
【００２７】
第１０発明に係る空気調和システムは、空気調和部と、設定部と、制御部とを備える。空気調和部は、空気調和が施された空気である調和空気を室内に供給する。設定部では、空気調和部の制御設定が行われる。また、設定部は、操作部として風量の設定を行う風量設定部だけを有する。操作部は、室内の空調対象者からの操作を受ける。また、制御部は、第１設定温度を風量の設定に応じて第２設定温度に変更する。さらに、制御部は、風量の設定および第２設定温度に基づいて空気調和部を制御する。
【００２８】
第１０発明に係る空気調和システムでは、設定部では、空気調和部の制御設定が行われる。また、設定部は、空調対象者からの操作を受ける操作部として風量設定部だけを有する。さらに、制御部は、風量の設定に応じて第１設定温度を第２設定温度に変更し、風量の設定および第２設定温度に基づいて空気調和部を制御する。このため、例えば、宿泊施設において客室内に設置される設定部が風量設定部だけを有し温度の設定が行われる温度設定部を有していない場合でも、空調対象者が風量の設定を行うだけで、客室に供給される調和空気の風量の設定だけでなく設定温度も変更することができる。
【００２９】
これによって、意匠性を損なうことなく、客室内の快適性を更に向上させることができる。
【発明の効果】
【００３０】
第１発明の空気調和システムでは、意匠性を損なうことなく、客室内の快適性を更に向上させることができる。
【００３１】
第２発明の空気調和システムでは、空調対象者が風量の設定を行うだけで、設定温度を変更することができる。
【００３２】
第３発明の空気調和システムでは、空調対象者が設定温度を容易に変更することができる。
【００３３】
第４発明の空気調和システムでは、空調対象者が風量の設定を行うだけで、室内の快適性を更に向上させることができる。
【００３４】
第５発明の空気調和システムでは、空調対象者が風量の設定を行うだけで、室内の快適性を更に向上させることができる。
【００３５】
第６発明の空気調和システムでは、空調対象者が風量の設定を行うだけで、設定温度を変更することができる。
【００３６】
第７発明の空気調和システムでは、空調対象者が設定温度を変更する労力をなくすことができる。
【００３７】
第８発明の空気調和システムでは、従業員等が客室毎に設定温度を初期温度に設定する労力をなくすことができる。
【００３８】
第９発明の空気調和システムでは、各客室における快適性を向上させることができる。
【００３９】
第１０発明の空気調和システムでは、意匠性を損なうことなく、客室内の快適性を更に向上させることができる。
【発明を実施するための最良の形態】
【００４０】
−第１実施形態−
本発明の第１実施形態に係る空気調和システム１３の全体的な構成図を図１に示す。
【００４１】
＜空気調和システムの概略構成＞
この空気調和システム１３は、図１に示すように、ホテル等の宿泊施設で利用されるシステムである。この空気調和システムには、主に、空気調和機１４と、ナイトパネル５０と、空調制御装置３０とが通信線を介して接続されている。また、空気調和機１４およびナイトパネル５０は、客室８０毎に設置されている。
【００４２】
空気調和機１４は、室内から空気を取り込み、取り込んだ室内空気を調和して調和空気を生成し、この調和空気を室内に供給する。
【００４３】
ナイトパネル５０には、図２に示すように、客室８０内の空調対象者が空気調和機の設定を操作する操作手段として、「ＯＮ／ＯＦＦ」ボタン、「ＬＯＷ」ボタンおよび「ＨＩＧＨ」ボタンからなる風量設定ボタン５１だけが設けられている。空調対象者は、ナイトパネル５０の風量設定ボタン５１を押すことによって、室内に供給される調和空気についての要求を後述する空調制御装置３０に送信する。
【００４４】
空調制御装置３０は、空気調和機１４からの運転データを受信したり、設定風量や設定温度等の情報を空気調和機１４に送信したりする。
【００４５】
（１）空気調和機
空気調和機１４は、熱交換器と送風ファンとを備えている。熱交換器は、接触する空気との間で熱交換を行い、調和空気を生成する。また、熱交換器は、冷房運転時には冷媒の蒸発器として機能して室内の空気を冷却し、暖房運転時には冷媒の凝縮器として機能して室内の空気を加熱する。送風ファンは、室内の空気を吸い込んで熱交換器に通し、熱交換が行われた後の調和空気を客室８０内に排出する。
【００４６】
また、空気調和機１４は、室内制御部６０を有している。室内制御部６０は、後述する空調制御装置３０から送信される風量や温度の情報を受信し、受信情報に基づいて空気調和機１４の制御を行う。
【００４７】
（２）空調制御装置
空調制御装置３０は、図３に示すように、情報を送受信するための通信部３１と、ＣＰＵ等からなる制御部３２と、ＲＡＭやＲＯＭ等のメモリ３３とを有する。
【００４８】
通信部３１は、空調対象者から風量設定ボタン５１を介して送信される風量の設定情報を受信して、後述する制御部３２に送信する。また、通信部３１は、制御部３２から受信した情報、および、風量設定ボタン５１を介して受信した風量の設定情報を、制御対象となる空気調和機１４の室内制御部６０に送信する。
【００４９】
制御部３２は、通信部３１から送信された風量の設定情報に基づいて現在設定されている設定温度（第１設定温度に相当）を変更し、変更した設定温度（第２設定温度に相当）の情報を通信部３１に送信する。なお、本実施形態では、図４に示すように、冷房運転または暖房運転の運転モードと風量の設定との組み合わせによって第１補正値が設定されており、設定温度の最初の補正は第１補正値に基づいて行われる。また、第１補正値に基づいて変更された設定温度の補正または更新は、図５に示すように、運転モードと風量の設定との組み合わせによって設定されている第２補正値に基づいて行われる。
【００５０】
また、メモリ３３には、変更した最新の設定温度が一時的に記憶される。空調制御装置３０は、空調対象者が風量設定ボタン５１のうちの「ＯＮ／ＯＦＦ」ボタンを押すことによって、客室８０への調和空気の供給が停止され再び開始されたときに、この最新の設定温度の情報を、通信部３１を介して室内制御部６０に送信することが可能である。
【００５１】
＜空気調和システムの動作＞
図６は、本実施形態の空気調和システム１３による処理の流れを示すフローチャートである。この処理は、空調制御装置３０のメモリ３３に格納された所定の制御プログラムに従って、実行される。なお、この処理は、一空調対象者の要求に対する空気調和機１４の稼働制御である。したがって、複数の客室８０の各空調対象者から各空気調和機１４に要求が出された場合は、同図の処理が並行して行われる。
【００５２】
図６に示すように、空調対象者によって、空気調和機１４から客室８０に所定の設定温度および所定の設定風量で供給される調和空気の風量設定の変更が行われる（ステップＳ１）。（なお、この所定の設定温度は、現在供給されている調和空気の設定温度であるため、第１設定温度に相当する。）空調対象者がナイトパネル５０に設けられている風量設定ボタン５１を押すことによって、供給される調和空気の風量の変更を設定風量情報として空調制御装置３０に送信される。空調制御装置３０は、設定風量情報を受信後、受信した設定風量情報に基づいて補正値を決定し、補正値に応じて設定温度を補正または更新する（ステップＳ２）。以下、補正値に応じて補正または更新された設定温度を補正温度という。（なお、補正温度は、第１設定温度に相当する所定の設定温度から補正または更新されているため、第２設定温度に相当する。）そして、空調制御装置３０は、設定風量情報と補正温度の情報とを室内制御部６０に送信する。設定風量情報および補正温度の情報を受信した室内制御部６０は、これらの情報に基づいて送風ファンの回転数や冷媒の流量を調節する膨張弁の開度を変更する等の空気調和機１４の内部機器の制御を行い、室内に供給される調和空気の温度や風量を変更する（ステップＳ３）。なお、空気調和機１４は、空調対象者によって風量の設定が変更されるまで、所定の設定温度および所定の設定風量に基づいて調和空気を室内に供給し続ける。
【００５３】
＜空調制御装置の動作＞
次に、空調制御装置３０の動作について、図７を用いて説明する。なお、本実施形態では、各客室８０の空気調和機１４の室内制御部６０には、調和空気の供給が開始される前から、所定の温度が初期設定温度として設定されており、所定の風量が初期設定風量として設定されている場合を例として説明する。
【００５４】
初期設定温度および初期設定風量に基づいて空気調和機１４から客室８０内に調和空気の供給が開始され、風量設定ボタン５１のうちの「ＨＩＧＨ」ボタンが押されると、ナイトパネル５０から通信部３１に、第１設定風量情報として「ＨＩＧＨ」ボタンの信号が送信される（ステップＳ１１，ステップＳ１２）。（なお、初期設定温度は、このとき供給されている調和空気の設定温度であるため、第１設定温度に相当する。）この信号は、通信部３１に受信されると、通信部３１から制御部３２に送信される。そして、制御部３２は、この信号に基づいて第１補正値を−２に決定し、初期設定温度を補正する（ステップＳ１３）。
【００５５】
また、空調対象者が風量設定ボタン５１のうちの「ＬＯＷ」ボタンを押した場合、ナイトパネル５０から通信部３１に、第１設定風量情報として「ＬＯＷ」ボタンの信号が送信される（ステップＳ１４）。そして、この信号が通信部３１から制御部３２に送信される。制御部３２は、この信号に基づいて第１補正値を＋２に決定し、初期設定温度を補正する（ステップＳ１５）。以下、補正された初期設定温度を第１補正温度という。（なお、第１補正温度は、第１設定温度に相当する初期設定温度から補正されているため、第２設定温度に相当する。）
【００５６】
初期設定温度が補正され第１補正温度が決定されると、制御部３２は、この第１補正温度の情報を通信部３１に送信する。そして、第１補正温度情報および第１設定風量情報（ＨＩＧＨまたはＬＯＷ）が、通信部３１から室内制御部６０に送信される（ステップＳ１６）。
【００５７】
さらに、初期設定温度および初期設定風量に基づいて空気調和機１４から調和空気の供給が開始され、風量設定ボタン５１のうちの「ＯＮ／ＯＦＦ」ボタンが押されると、ナイトパネル５０から通信部３１に、第１設定風量情報として「ＯＮ／ＯＦＦ」ボタンの信号が送信される（ステップＳ１７）。そして、この信号が、通信部３１に受信されると、通信部３１から制御部３２に送信される。制御部３２は調和空気の供給停止情報を通信部３１に送信し、この情報が通信部３１から室内制御部６０に送信される（ステップＳ１８）。また、空気調和機１４は、風量の設定が変更されるまで、初期設定温度および初期設定風量に基づいて調和空気を室内に供給し続ける。
【００５８】
また、図８に示すように、客室８０に第１補正温度に基づいて調和された調和空気が供給され始めてから、さらに、風量設定ボタン５１のうちの「ＨＩＧＨ」ボタンが押されると、ナイトパネル５０から通信部３１に、供給される調和空気の風量の更なる変更を第２設定風量情報として「ＨＩＧＨ」ボタンの信号が送信される（ステップＳ２１，ステップＳ２２）。（なお、第１補正温度は、このとき供給されている調和空気の設定温度であるため、第１設定温度に相当する。）この信号が、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ２３）。この場合、変更回数は、初期設定温度が第１補正温度に補正された１回だけである。したがって、制御部３２は、変更回数が２回未満であると判断する。そして、変更回数が２回未満であると判断された場合、制御部３２は、この信号に基づいて第２補正値を−１に決定し、第１補正温度を更に補正する（ステップＳ２４）。
【００５９】
また、風量設定ボタン５１のうちの「ＬＯＷ」ボタンが押された場合、ナイトパネル５０から通信部３１に、第２設定風量情報として「ＬＯＷ」ボタンの信号が送信される（ステップＳ２５）。そして、この信号が通信部３１から制御部３２に送信される。通信部３１から制御部３２に信号が送信されると、制御部３２は、設定温度の変更が行われた回数が２回未満であるかどうかを判断する（ステップＳ２６）。この場合、変更回数は、初期設定温度が第１補正温度に補正された１回だけである。したがって、制御部３２は、変更回数が２回未満であると判断する。そして、変更回数が２回未満であると判断された場合、制御部３２は、この信号に基づいて第２補正値を＋１に決定し、第１補正温度を更に補正する（ステップＳ２７）。以下、補正された第１補正温度を第２補正温度という。（なお、第２補正温度は、第１設定温度に相当する第１補正温度から更に補正されているため、第２設定温度に相当する。）
【００６０】
第１補正温度が補正され第２補正温度が決定されると、制御部３２は、この第２補正温度を通信部３１に送信する。そして、第２補正温度および第２設定風量（ＨＩＧＨまたはＬＯＷ）の情報が、通信部３１から室内制御部６０に送信される（ステップＳ２８）。
【００６１】
また、客室８０に第２補正温度に基づいて調和された調和空気が供給され始めてから、さらに、風量設定ボタン５１のうちの「ＨＩＧＨ」ボタンが押されると、ナイトパネル５０から通信部３１に、新たな第２設定風量情報として「ＨＩＧＨ」ボタンの信号が送信される（ステップＳ２２）。（なお、第２補正温度は、このとき供給されている調和空気の設定温度であるため、第１設定温度に相当する。）この信号が、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ２３）。この場合、変更回数は、初期設定温度から第１補正温度への補正と、第１補正温度から第２補正温度への補正との２回である。したがって、制御部３２は、変更回数が２回未満でないと判断する。そして、変更回数が２回未満でないと判断された場合、制御部３２は、この信号に基づいて第２補正値を−１に決定し、第２補正温度を更新する（ステップＳ２９）。
【００６２】
また、風量設定ボタン５１のうちの「ＬＯＷ」ボタンが押された場合、ナイトパネル５０から通信部３１に、新たな第２設定風量情報として「ＬＯＷ」ボタンの信号が送信される（ステップＳ２５）。そして、この信号が通信部３１から制御部３２に送信される。通信部３１から制御部３２に信号が送信されると、制御部３２は、設定温度の変更が行われた回数が２回未満であるかどうかを判断する（ステップＳ２６）。この場合、変更回数は、初期設定温度から第１補正温度への補正と、第１補正温度から第２補正温度への補正との２回である。したがって、制御部３２は、変更回数が２回未満でないと判断する。そして、変更回数が２回未満でないと判断された場合、制御部３２は、この信号に基づいて第２補正値を＋１に決定し、第２補正温度を更新する（ステップＳ３０）。（なお、更新された第２補正温度は、第１設定温度に相当する第２補正温度から更新されているため、第２設定温度に相当する。）
【００６３】
更新された第２補正温度が決定されると、制御部３２は、この第２補正温度を通信部３１に送信する。そして、更新された第２補正温度および新たな第２設定風量（ＨＩＧＨまたはＬＯＷ）の情報が、通信部３１から室内制御部６０に送信される（ステップＳ２８）。なお、第２補正温度は、空調対象者によって設定風量の変更が指示される毎に、更新され続ける。
【００６４】
また、客室８０に第１補正温度または第２補正温度の調和空気が供給され始めてから、空調対象者が風量設定ボタン５１のうちの「ＯＮ／ＯＦＦ」ボタンを押すと、ナイトパネル５０から通信部３１に、第２設定風量情報として「ＯＮ／ＯＦＦ」ボタンの信号が送信される（ステップＳ３１）。そして、この信号が、通信部３１に受信されると、通信部３１から制御部３２に送信される。そして、制御部３２は調和空気の供給停止情報を通信部３１に送信し、この情報が通信部３１から室内制御部６０に送信される（ステップＳ３２）。また、空気調和機１４は、第１設定風量が変更されるまで、第１補正温度および第１設定風量に基づいて調和空気を室内に供給し続ける。
【００６５】
さらに、この空気調和システム１３には、図１に示すように、ホテルのフロントのカウンター下等に設置されているフロントインジケータ７０が接続されている。フロントインジケータ７０では、各客室８０におけるチェックインおよびチェックアウト等のルームステータス情報や在室情報が表示されたり、各客室８０の空気調和機１４の運転の開始または停止、空気調和機１４の設定温度や設定風量の設定、および、各客室８０の初期設定温度の設定等の空調管理が行われたりする。
【００６６】
また、フロントインジケータ７０が操作されることによって、客室８０の空気調和機１４の運転を停止する運転停止指令が出された場合、フロントインジケータ７０から空調制御装置３０にこの指令が送信される。そして、空調制御装置３０から室内制御部６０に空気調和機１４の運転停止情報が送信されて、空気調和機１４の運転が停止される。このとき、空調制御装置３０の制御部３２は、この客室８０の設定温度および設定風量を初期設定温度および初期設定風量に再び設定する。そして、この客室８０に再びフロントインジケータ７０から空気調和機１４の運転開始指令が出されると、制御部３２は通信部３１を介して室内制御部６０に初期設定風量および初期設定温度の情報を送信する。
【００６７】
＜特徴＞
（１）
従来より、ホテル等の宿泊施設において、調和された空気を客室内に供給することにより、客室内の快適性を向上させる空気調和機を備えた空気調和システムが知られている。この空気調和システムでは、空調対象者が空気調和機の設定を操作する操作手段として、
客室内のベッドサイドにナイトパネル等の客室用コントローラが設置されている場合が多い。この場合、空調対象者は、ベッドから移動することなく、空気調和機の設定を操作することができる。しかしながら、このナイトパネルには、意匠性を向上させるために、客室内に供給される調和空気の風量を設定する風量設定部だけが設けられ、設定温度を変更するための温度設定部が設けられていない場合がある。
【００６８】
ナイトパネルに温度設定部が設けられていない場合、空気調和機自身が設定温度を変更する機能を有していても、空調対象者は、ベッドサイドで設定温度を変更することができない。このため、空調対象者は、所定の温度に調和された調和空気の客室内への風量を調節するだけで、客室内を快適な状態に調節しなければならいことになる。
【００６９】
そこで、上記実施形態では、空調制御装置３０は、第１設定風量情報に応じて第１補正値を決定し、この第１補正値に基づいて初期設定温度を第１補正温度に変更する。そして、室内制御部６０は、空調制御装置３０から送信される第１設定風量情報および第１補正温度情報に基づいて空気調和機１４を制御する。このため、風量の設定を行うことによって、客室８０に供給される調和空気の風量の設定だけでなく設定温度も変更することができる。
【００７０】
これによって、意匠性を損なうことなく、客室８０内の快適性を更に向上させることができている。
【００７１】
また、従来では、温度設定部が設けられていないナイトパネルとは別に、温度設定部が設けられている空調用コントローラが客室内の壁面に設置されている場合がある。この場合、設定温度を変更するためには、空調対象者が、壁面に設置されている空調用コントローラのところまで移動して、温度設定部を操作する必要がある。このため、設定温度を変更する作業は、空調対象者にとって少なからず負担となっていた。しかし、本実施形態では、ナイトパネル５０を操作し、風量の設定を行うことによって、客室８０に供給される調和空気の風量の設定だけでなく設定温度も変更することができる。
【００７２】
これによって、ベッドサイドから移動することなく、客室８０内の快適性を向上させることができている。
【００７３】
（２）
上記実施形態では、ナイトパネル５０には、風量設定ボタン５１として「ＨＩＧＨ」ボタンと「ＬＯＷ」ボタンと「ＯＮ／ＯＦＦ」ボタンとが設けられている。また、空調制御装置３０は、第１補正温度に基づいて調和された調和空気が客室８０に供給され始めてから風量設定ボタン５１のうちの「ＨＩＧＨ」ボタンまたは「ＬＯＷ」ボタンがさらに押されると、その第２設定風量情報に基づいて第２補正値を決定し、第１補正温度を第２補正温度に更に補正する。このため、空調対象者は、第１補正温度の変更を容易に行うことができる。したがって、空調対象者の希望する室内温度に近づけることができる。
【００７４】
これによって、空調対象者が風量の設定を行うだけで、客室８０内の快適性を更に向上させることができている。
【００７５】
（３）
上記実施形態では、メモリ３３には、変更した最新の設定温度が一時的に記憶される。また、空調制御装置３０は、空調対象者が風量設定ボタン５１のうちの「ＯＮ／ＯＦＦ」ボタンを押すことによって、客室８０への調和空気の供給が停止され再び開始されたときに、この最新の設定温度の情報を、通信部３１を介して室内制御部６０に送信する。このため、客室８０への調和空気の供給が、一時的に停止され、再び開始されたとき、空調対象者が設定温度を変更しなくても、供給が停止される直前の設定温度に基づいて調和空気が生成される。
【００７６】
これによって、空調対象者が設定温度を変更する労力をなくすことができている。
【００７７】
（４）
上記実施形態では、制御部３２は、フロントインジケータ７０から空気調和機１４の運転停止指令を受信すると、この客室８０の設定温度および設定風量を初期設定温度および初期設定風量に再び設定する。このため、宿泊施設の従業員がフロントインジケータ７０から空気調和機１４の運転停止指令を出すことによって、自動的に空気調和機１４の設定温度および設定風量を初期設定温度および初期設定風量にすることができる。
【００７８】
これによって、宿泊施設の従業員が客室８０毎に設定温度および設定風量を戻す労力をなくすことができている。
【００７９】
（５）
上記実施形態では、フロントインジケータ７０によって、各客室８０の空気調和機１４の初期設定温度の設定が行われる。このため、客室８０の環境によって、快適と予測される室内温度に初期設定温度を設定することができる。
【００８０】
これによって、各客室８０における快適性を向上させることができている。
【００８１】
＜変形例＞
上記実施形態では、空調制御装置３０は、客室８０に第１補正温度に基づいて調和された調和空気が供給され始めてから、さらに、空調対象者が風量設定ボタン５１のうちの「ＨＩＧＨ」ボタンまたは「ＬＯＷ」ボタンを押すことによって、第１補正温度を更に補正している。しかし、第１補正温度の補正は、空調対象者が風量設定ボタン５１を所定時間継続して押し続けることによって行われてもよい。具体的には、図９に示すように、室内に第１補正温度に基づいて調和された調和空気が供給され始めてから、空調対象者が風量設定ボタン５１のうちの「ＨＩＧＨ」ボタンを所定時間（例えば、３秒）以上押し続けると、ナイトパネル５０から通信部３１に、第２設定風量情報として「ＨＩＧＨ」ボタンの信号が送信される（ステップＳ４１，ステップＳ４２）。（なお、第１補正温度は、このとき供給されている調和空気の設定温度であるため、第１設定温度に相当する。）この信号は、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ４３）。この場合、変更回数は、初期設定温度が第１補正温度に補正された１回だけである。したがって、制御部３２は、変更回数が２回未満であると判断する。そして、変更回数が２回未満であると判断された場合、制御部３２は、この信号に基づいて、第２補正値を−１に決定し、第１補正温度を更に補正する（ステップＳ４４）。
【００８２】
また、第１補正温度に基づいて調和された調和空気が客室８０に供給され始めてから、空調対象者が風量設定ボタン５１のうちの「ＬＯＷ」ボタンを所定時間以上押し続けると、ナイトパネル５０から通信部３１に、第２設定風量情報として「ＬＯＷ」ボタンの信号が送信される（ステップＳ４５）。この信号は、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ４６）。この場合、変更回数は、初期設定温度が第１補正温度に補正された１回だけである。したがって、制御部３２は、変更回数が２回未満であると判断する。そして、変更回数が２回未満であると判断された場合、制御部３２は、この信号に基づいて、第２補正値を＋１に決定し、第１補正温度を更に補正する（ステップＳ４７）。以下、補正された第１補正温度を第２補正温度という。（なお、第２補正温度は、第１設定温度に相当する第１補正温度から補正されているため、第２設定温度に相当する。）
【００８３】
第１補正温度が補正され第２補正温度が決定されると、制御部３２は、この第２補正温度を通信部３１に送信する。そして、第２補正温度および第２設定風量（ＨＩＧＨまたはＬＯＷ）の情報が、通信部３１から室内制御部６０に送信される（ステップＳ４８）。
【００８４】
また、客室８０内に第２補正温度に基づいて調和された調和空気が供給され始めてから、空調対象者が風量設定ボタン５１のうちの「ＨＩＧＨ」ボタンを所定時間以上押し続けると、ナイトパネル５０から通信部３１に、新たな第２設定風量情報として「ＨＩＧＨ」ボタンの信号が送信される（ステップＳ４２）。（なお、第２補正温度は、このとき供給されている調和空気の設定温度であるため、第１設定温度に相当する。）この信号は、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ４３）。この場合、変更回数は、初期設定温度から第１補正温度への補正と、第１補正温度から第２補正温度への補正との２回である。したがって、制御部３２は、変更回数が２回未満でないと判断する。そして、変更回数が２回未満でないと判断された場合、制御部３２は、この信号に基づいて、第２補正値を−１に決定し、第２補正温度を更新する（ステップＳ４９）。
【００８５】
また、第１補正温度に基づいて調和された調和空気が客室８０に供給され始めてから、空調対象者が風量設定ボタン５１のうちの「ＬＯＷ」ボタンを所定時間以上押し続けると、ナイトパネル５０から通信部３１に、更新された第２設定風量情報として「ＬＯＷ」ボタンの信号が送信される（ステップＳ４５）。この信号は、通信部３１に受信されると、通信部３１から制御部３２に送信される。通信部３１から制御部３２に信号が送信されると、制御部３２は、設定温度の変更が行われた回数が２回未満であるかどうかを判断する（ステップＳ４６）。この場合、変更回数は、初期設定温度から第１補正温度への補正と、第１補正温度から第２補正温度への補正との２回である。したがって、制御部３２は、変更回数が２回未満でないと判断する。そして、変更回数が２回未満でないと判断された場合、制御部３２は、この信号に基づいて、第２補正値を＋１に決定し、第２補正温度を更新する（ステップＳ５０）。（なお、更新された第２補正温度は、第１設定温度に相当する第２補正温度から更新されているため、第２設定温度に相当する。）
【００８６】
更新された第２補正温度が決定されると、制御部３２は、この第２補正温度を通信部３１に送信する。そして、新たな第２補正温度および新たな第２設定風量（ＨＩＧＨまたはＬＯＷ）の情報が、通信部３１から室内制御部６０に送信される（ステップＳ４８）。なお、第２補正温度は、空調対象者によって設定風量の変更が指示される毎に、更新され続ける。
【００８７】
また、客室８０に第１補正温度または第２補正温度の調和空気が供給され始めてから空調対象者が風量設定ボタン５１のうちの「ＯＮ／ＯＦＦ」ボタンを押すと、ナイトパネル５０から通信部３１に、第２設定風量情報として「ＯＮ／ＯＦＦ」ボタンの信号が送信される（ステップＳ５１）。そして、制御部３２は調和空気の供給停止情報を通信部３１に送信し、この情報が通信部３１から室内制御部６０に送信される（ステップＳ５２）。また、空気調和機１４は、第１設定風量が変更されるまで、第１補正温度および第１設定風量に基づいて調和空気を室内に供給し続ける。
【００８８】
−第２実施形態−
本発明の第２実施形態に係る空気調和システム１１３の全体的な構成図を図１に示す。また、この空気調和システム１１３における空調制御装置１３０の動作の流れを図１０に示す。なお、第２実施形態は、空調制御装置１３０の制御部１３２における設定温度の変更方法以外、第１実施形態と同じである。したがって、制御部１３２の設定温度変更方法のみを以下に説明する。また、制御部１３２は、図１１に示すように、冷房運転または暖房運転等の運転モードと風量の設定との組み合わせによって規定温度が設定されており、設定温度の変更は規定温度に基づいて行われる。
【００８９】
＜空調制御装置の動作＞
空調制御装置１３０の動作について、図１、図３、図１０および図１１を用いて説明する。
【００９０】
初期設定温度（第１設定温度に相当）および初期設定風量に基づいて空気調和機１１４から客室１８０内に調和空気の供給が開始され、風量設定ボタン１５１のうちの「ＨＩＧＨ」ボタンが押されると、ナイトパネル１５０から通信部１３１に、第１設定風量情報として「ＨＩＧＨ」ボタンの信号が送信される（ステップＳ６１，ステップＳ６２）。この信号は、通信部１３１に受信されると、通信部１３１から制御部１３２に送信される。そして、制御部１３２は、この信号に基づいて規定温度を２５度に決定する（ステップＳ６３）。
【００９１】
また、初期設定温度および初期設定風量に基づいて空気調和機１１４から客室１８０内に調和空気の供給が開始され、風量設定ボタン１５１のうちの「ＬＯＷ」ボタンが押されると、ナイトパネル１５０から通信部３１に、第１設定風量情報として「ＬＯＷ」ボタンの信号が送信される（ステップＳ６４）。そして、この信号が通信部１３１から制御部１３２に送信される。制御部１３２は、この信号に基づいて規定温度を２９度に決定する（ステップＳ６５）。
【００９２】
規定温度（第２設定温度に相当）が決定されると、制御部１３２は、この規定温度の情報を通信部１３１に送信する。そして、規定温度の情報および第１設定風量情報（ＨＩＧＨまたはＬＯＷ）が、通信部１３１から室内制御部１６０に送信される（ステップＳ６６）。
【００９３】
また、初期設定温度および初期設定風量に基づいて空気調和機１１４から調和空気の供給が開始され、風量設定ボタン１５１のうちの「ＯＮ／ＯＦＦ」ボタンが押されると、ナイトパネル１５０から通信部１３１に、第１設定風量情報として「ＯＮ／ＯＦＦ」ボタンの信号が送信される（ステップＳ６７）。そして、この信号が、通信部１３１に受信されると、通信部１３１から制御部１３２に送信される。制御部１３２は調和空気の供給停止情報を通信部１３１に送信し、この情報が通信部１３１から室内制御部１６０に送信される（ステップＳ６８）。また、空気調和機１１４は、風量の設定が変更されるまで、初期設定温度および初期設定風量に基づいて調和空気を室内に供給し続ける。
【００９４】
＜特徴＞
上記実施形態では、制御部１３２は、初期設定温度を、運転モードと風量の設定との組み合わせによって設定されている規定温度に変更する。このため、空調対象者が風量の設定を行うことによって、初期設定温度を規定温度に変更することができる。
【００９５】
これによって、風量の設定を行うことで、設定温度を変更することができている。
【００９６】
−第３実施形態−
本発明の第３実施形態に係る空気調和システム２１３の全体的な構成図を図１に示す。なお、第３実施形態に係る空気調和システム２１３は、ナイトパネル２５０の風量設定ボタン２５１、空調制御装置２３０および空調制御装置２３０の動作以外は、第１実施形態に係る空気調和システムと同様である。したがって、ここでは、ナイトパネル２５０の風量設定ボタン２５１、空調制御装置２３０および空調制御装置２３０の動作のみを以下に説明する。
【００９７】
＜ナイトパネル＞
ナイトパネル２５０には、図１２に示すように、客室８０内の空調対象者が空気調和機の設定を操作する操作手段として、「ＯＦＦ」ボタン、「ＬＯＷ」ボタン「ＭＥＤＩＵＭ」ボタンおよび「ＨＩＧＨ」ボタンからなる風量設定ボタン５１だけが設けられている。空調対象者は、ナイトパネル２５０の風量設定ボタン２５１を押すことによって、室内に供給される調和空気についての要求を空調制御装置２３０に送信する。
【００９８】
＜空調制御装置＞
空調制御装置２３０は、図３に示すように、情報を送受信するための通信部２３１と、ＣＰＵ等からなる制御部２３２と、ＲＡＭやＲＯＭ等のメモリ２３３とを有する。
【００９９】
通信部２３１は、空調対象者から風量設定ボタン２５１を介して送信される風量の設定情報を受信して、制御部２３２に送信する。また、通信部２３１は、制御部２３２から受信した情報、および、風量設定ボタン２５１を介して受信した風量の設定情報を、制御対象となる空気調和機２１４の室内制御部２６０に送信する。
【０１００】
制御部２３２は、通信部２３１から送信された風量の設定情報に基づいて現在設定されている設定温度（第１設定温度に相当）を変更し、変更した設定温度（第２設定温度に相当）の情報を通信部２３１に送信する。なお、本実施形態では、図１３に示すように、冷房運転または暖房運転の運転モードと風量の設定との組み合わせによって第１補正値が設定されており、設定温度の最初の補正は第１補正値に基づいて行われる。また、第１補正値に基づいて変更された設定温度の補正または更新は、図１４に示すように、運転モードと風量の設定との組み合わせによって設定されている第２補正値に基づいて行われる。
【０１０１】
また、メモリ２３３には、変更した最新の設定温度が一時的に記憶される。空調制御装置２３０では、空調対象者が、風量設定ボタン２５１のうちの「ＯＦＦ」ボタンを押すことによって客室２８０への調和空気の供給が停止され、「ＭＥＤＩＵＭ」ボタンを押すことによって客室２８０への調和空気の供給が再び開始されたときに、この最新の設定温度の情報を通信部２３１を介して室内制御部２６０に送信することが可能である。
【０１０２】
＜空調制御装置の動作＞
次に、空調制御装置２３０の動作について、図１、図３、図１３、図１４、図１５および図１６を用いて説明する。なお、本実施形態では、各客室２８０の空気調和機２１４の室内制御部２６０には、調和空気の供給が開始される前から、所定の温度が初期設定温度として設定されており、所定の風量が初期設定風量として設定されている場合を例として説明する。
【０１０３】
初期設定温度および初期設定風量に基づいて空気調和機２１４から客室２８０内に調和空気の供給が開始され、風量設定ボタン２５１のうちの「ＨＩＧＨ」ボタンが押されると、ナイトパネル２５０から通信部２３１に、第１設定風量情報として「ＨＩＧＨ」ボタンの信号が送信される（ステップＳ７１，ステップＳ７２）。（なお、初期設定温度は、このとき供給されている調和空気の設定温度であるため、第１設定温度に相当する。）この信号は、通信部２３１に受信されると、通信部２３１から制御部２３２に送信される。そして、制御部２３２は、この信号に基づいて第１補正値を−２に決定し、初期設定温度を補正する（ステップＳ７３）。
【０１０４】
また、空調対象者が風量設定ボタン２５１のうちの「ＭＥＤＩＵＭ」ボタンを押した場合、ナイトパネル２５０から通信部２３１に、第１設定風量情報として「ＭＥＤＩＵＭ」ボタンの信号が送信される（ステップＳ７４）。そして、この信号が通信部２３１から制御部２３２に送信される。制御部２３２は、この信号に基づいて第１補正値を０に決定し、初期設定温度を補正する（ステップＳ７５）。
【０１０５】
さらに、空調対象者が風量設定ボタン２５１のうちの「ＬＯＷ」ボタンを押した場合、ナイトパネル２５０から通信部２３１に、第１設定風量情報として「ＬＯＷ」ボタンの信号が送信される（ステップＳ７６）。そして、この信号が通信部２３１から制御部２３２に送信される。制御部２３２は、この信号に基づいて第１補正値を＋２に決定し、初期設定温度を補正する（ステップＳ７７）。以下、補正された初期設定温度を第１補正温度という。（なお、第１補正温度は、第１設定温度に相当する初期設定温度から補正されているため、第２設定温度に相当する。）
【０１０６】
初期設定温度が補正され第１補正温度が決定されると、制御部２３２は、この第１補正温度の情報を通信部２３１に送信する。そして、第１補正温度情報および第１設定風量情報（ＨＩＧＨ、ＭＥＤＩＵＭまたはＬＯＷ）が、通信部２３１から室内制御部２６０に送信される（ステップＳ７８）。
【０１０７】
さらに、初期設定温度および初期設定風量に基づいて空気調和機２１４から調和空気の供給が開始され、風量設定ボタン２５１のうちの「ＯＦＦ」ボタンが押されると、ナイトパネル２５０から通信部２３１に、第１設定風量情報として「ＯＦＦ」ボタンの信号が送信される（ステップＳ７９）。そして、この信号が、通信部２３１に受信されると、通信部２３１から制御部２３２に送信される。制御部２３２は調和空気の供給停止情報を通信部２３１に送信し、この情報が通信部２３１から室内制御部２６０に送信される（ステップＳ８０）。また、空気調和機２１４は、風量の設定が変更されるまで、初期設定温度および初期設定風量に基づいて調和空気を室内に供給し続ける。
【０１０８】
また、図１６に示すように、客室２８０に第１補正温度に基づいて調和された調和空気が供給され始めてから、さらに、風量設定ボタン２５１のうちの「ＨＩＧＨ」ボタンが押されると、ナイトパネル２５０から通信部２３１に、供給される調和空気の風量の更なる変更を第２設定風量情報として「ＨＩＧＨ」ボタンの信号が送信される（ステップＳ９１，ステップＳ９２）。（なお、第１補正温度は、このとき供給されている調和空気の設定温度であるため、第１設定温度に相当する。）この信号が、通信部２３１に受信されると、通信部２３１から制御部２３２に送信される。通信部２３１から制御部２３２に信号が送信されると、制御部２３２は、設定温度の変更が行われた回数が２回未満であるかどうかを判断する（ステップＳ９３）。この場合、変更回数は、初期設定温度が第１補正温度に補正された１回だけである。したがって、制御部２３２は、変更回数が２回未満であると判断する。そして、変更回数が２回未満であると判断された場合、制御部２３２は、この信号に基づいて第２補正値を−１に決定し、第１補正温度を更に補正する（ステップＳ９４）。
【０１０９】
また、風量設定ボタン２５１のうちの「ＭＥＤＩＵＭ」ボタンが押された場合、ナイトパネル２５０から通信部２３１に、第２設定風量情報として「ＭＥＤＩＵＭ」ボタンの信号が送信される（ステップＳ９５）。そして、この信号が通信部２３１から制御部２３２に送信される。通信部２３１から制御部２３２に信号が送信されると、制御部２３２は、設定温度の変更が行われた回数が２回未満であるかどうかを判断する（ステップＳ９６）。この場合、変更回数は、初期設定温度が第１補正温度に補正された１回だけである。したがって、制御部２３２は、変更回数が２回未満であると判断する。そして、変更回数が２回未満であると判断された場合、制御部２３２は、この信号に基づいて第２補正値を０に決定し、第１補正温度を更に補正する（ステップＳ９７）。
【０１１０】
さらに、風量設定ボタン２５１のうちの「ＬＯＷ」ボタンが押された場合、ナイトパネル２５０から通信部２３１に、第２設定風量情報として「ＬＯＷ」ボタンの信号が送信される（ステップＳ９８）。そして、この信号が通信部２３１から制御部２３２に送信される。通信部２３１から制御部２３２に信号が送信されると、制御部２３２は、設定温度の変更が行われた回数が２回未満であるかどうかを判断する（ステップＳ９９）。この場合、変更回数は、初期設定温度が第１補正温度に補正された１回だけである。したがって、制御部２３２は、変更回数が２回未満であると判断する。そして、変更回数が２回未満であると判断された場合、制御部２３２は、この信号に基づいて第２補正値を＋１に決定し、第１補正温度を更に補正する（ステップＳ１００）。以下、補正された第１補正温度を第２補正温度という。（なお、第２補正温度は、第１設定温度に相当する第１補正温度から更に補正されているため、第２設定温度に相当する。）
【０１１１】
第１補正温度が補正され第２補正温度が決定されると、制御部２３２は、この第２補正温度を通信部２３１に送信する。そして、第２補正温度および第２設定風量（ＨＩＧＨ、ＭＥＤＩＵＭまたはＬＯＷ）の情報が、通信部２３１から室内制御部２６０に送信される（ステップＳ１０１）。
【０１１２】
また、客室２８０に第２補正温度に基づいて調和された調和空気が供給され始めてから、さらに、風量設定ボタン２５１のうちの「ＨＩＧＨ」ボタンが押されると、ナイトパネル２５０から通信部２３１に、新たな第２設定風量情報として「ＨＩＧＨ」ボタンの信号が送信される（ステップＳ９２）。（なお、第２補正温度は、このとき供給されている調和空気の設定温度であるため、第１設定温度に相当する。）この信号が、通信部２３１に受信されると、通信部２３１から制御部２３２に送信される。通信部２３１から制御部２３２に信号が送信されると、制御部２３２は、設定温度の変更が行われた回数が２回未満であるかどうかを判断する（ステップＳ９３）。この場合、変更回数は、初期設定温度から第１補正温度への補正と、第１補正温度から第２補正温度への補正との２回である。したがって、制御部２３２は、変更回数が２回未満でないと判断する。そして、変更回数が２回未満でないと判断された場合、制御部２３２は、この信号に基づいて第２補正値を−１に決定し、第２補正温度を更新する（ステップＳ１０２）。
【０１１３】
また、風量設定ボタン２５１のうちの「ＭＥＤＩＵＭ」ボタンが押された場合、ナイトパネル２５０から通信部２３１に、新たな第２設定風量情報として「ＭＥＤＩＵＭ」ボタンの信号が送信される（ステップＳ９５）。そして、この信号が通信部２３１から制御部２３２に送信される。通信部２３１から制御部２３２に信号が送信されると、制御部２３２は、設定温度の変更が行われた回数が２回未満であるかどうかを判断する（ステップＳ９６）。この場合、変更回数は、初期設定温度から第１補正温度への補正と、第１補正温度から第２補正温度への補正との２回である。したがって、制御部２３２は、変更回数が２回未満でないと判断する。そして、変更回数が２回未満でないと判断された場合、制御部２３２は、この信号に基づいて第２補正値を０に決定し、第２補正温度を更新する（ステップＳ１０３）。
【０１１４】
さらに、風量設定ボタン２５１のうちの「ＬＯＷ」ボタンが押された場合、ナイトパネル２５０から通信部２３１に、新たな第２設定風量情報として「ＬＯＷ」ボタンの信号が送信される（ステップＳ９８）。そして、この信号が通信部２３１から制御部２３２に送信される。通信部２３１から制御部２３２に信号が送信されると、制御部２３２は、設定温度の変更が行われた回数が２回未満であるかどうかを判断する（ステップＳ９９）。この場合、変更回数は、初期設定温度から第１補正温度への補正と、第１補正温度から第２補正温度への補正との２回である。したがって、制御部２３２は、変更回数が２回未満でないと判断する。そして、変更回数が２回未満でないと判断された場合、制御部２３２は、この信号に基づいて第２補正値を＋１に決定し、第２補正温度を更新する（ステップＳ１０４）。（なお、更新された第２補正温度は、第１設定温度に相当する第２補正温度から更新されているため、第２設定温度に相当する。）
【０１１５】
更新された第２補正温度が決定されると、制御部２３２は、この第２補正温度を通信部２３１に送信する。そして、更新された第２補正温度および新たな第２設定風量（ＨＩＧＨ、ＭＥＤＩＵＭまたはＬＯＷ）の情報が、通信部２３１から室内制御部２６０に送信される（ステップＳ１０１）。なお、第２補正温度は、空調対象者によって設定風量の変更が指示される毎に、更新され続ける。
【０１１６】
また、客室２８０に第１補正温度または第２補正温度の調和空気が供給され始めてから、空調対象者が風量設定ボタン２５１のうちの「ＯＦＦ」ボタンを押すと、ナイトパネル２５０から通信部２３１に、第２設定風量情報として「ＯＦＦ」ボタンの信号が送信される（ステップＳ１０５）。そして、この信号が、通信部２３１に受信されると、通信部２３１から制御部２３２に送信される。そして、制御部２３２は調和空気の供給停止情報を通信部２３１に送信し、この情報が通信部２３１から室内制御部２６０に送信される（ステップＳ１０６）。また、空気調和機２１４は、第１設定風量が変更されるまで、第１補正温度および第１設定風量に基づいて調和空気を室内に供給し続ける。
【０１１７】
＜特徴＞
上記実施形態では、ナイトパネル２５０には、風量設定ボタン２５１として「ＨＩＧＨ」ボタンと「ＭＥＤＩＵＭ」ボタンと「ＬＯＷ」ボタンと「ＯＦＦ」ボタンとが設けられている。また、空調制御装置２３０は、第１補正温度に基づいて調和された調和空気が客室２８０に供給され始めてから風量設定ボタン２５１のうちの「ＨＩＧＨ」ボタン、「ＭＥＤＩＵＭ」ボタンまたは「ＬＯＷ」ボタンがさらに押されると、その第２設定風量情報に基づいて第２補正値を決定し、第１補正温度を第２補正温度に更に補正する。このため、空調対象者は、第１補正温度の変更を容易に行うことができる。したがって、空調対象者の希望する室内温度に近づけることができる。
【０１１８】
これによって、空調対象者が風量の設定を行うだけで、客室２８０内の快適性を更に向上させることができている。
【０１１９】
また、風量設定ボタン２５１として「ＭＥＤＩＵＭ」ボタンが設けられている。このため、空調対象者は、設定温度を変更することなく、風量の設定のみを変更することができている。
【産業上の利用可能性】
【０１２０】
本発明は、意匠性を損なうことなく、客室内の快適性を更に向上させることができるため、ホテル等の宿泊施設の空気調和システムとして有用である。
【図面の簡単な説明】
【０１２１】
【図１】本発明の実施形態に係る空気調和システムの全体構造図。
【図２】本発明の第１実施形態および第２実施形態に係る空気調和システムのナイトパネルの概略図。
【図３】本発明の実施形態に係る空気調和システムの制御ブロック図。
【図４】本発明の第１実施形態に係る空気調和システムにおける設定風量と第１補正値との関係を示す表。
【図５】本発明の第１実施形態に係る空気調和システムにおける設定風量と第２補正値との関係を示す表。
【図６】本発明の第１実施形態に係る空気調和システムの処理を示すフローチャート。
【図７】本発明の第１実施形態に係る空気調和システムの備える空調制御装置の処理を示すフローチャート。
【図８】本発明の第１実施形態に係る空気調和システムの備える空調制御装置の処理を示すフローチャート。
【図９】本発明の変形例に係る空気調和システムの備える空調制御装置の処理を示すフローチャート。
【図１０】本発明の第２実施形態に係る空気調和システムの備える空調制御装置の処理を示すフローチャート。
【図１１】本発明の第２実施形態に係る空気調和システムにおける設定風量と規定温度との関係を示す表。
【図１２】本発明の第３実施形態に係る空気調和システムのナイトパネルの概略図。
【図１３】本発明の第３実施形態に係る空気調和システムにおける設定風量と第１補正値との関係を示す表。
【図１４】本発明の第３実施形態に係る空気調和システムにおける設定風量と第２補正値との関係を示す表。
【図１５】本発明の第３実施形態に係る空気調和システムの備える空調制御装置の処理を示すフローチャート。
【図１６】本発明の第３実施形態に係る空気調和システムの備える空調制御装置の処理を示すフローチャート。
【符号の説明】
【０１２２】
１３，１１３，２１３  空気調和システム
１４，１１４，２１４  空気調和機（空気調和部）
３０，１３０，２３０  空調制御装置（制御部）
５０，１５０，２５０  ナイトパネル（風量設定部，設定部）
５１，１５１，２５１  風量設定ボタン（操作部，風量設定部）
６０，１６０，２６０  室内制御部（風量設定部）
７０                  フロントインジケータ（制御部）
８０，１８０，２８０  客室
【図１】
2009085514.tif 000003
【図２】
2009085514.tif 000004
【図３】
2009085514.tif 000005
【図４】
2009085514.tif 000006
【図５】
2009085514.tif 000007
【図６】
2009085514.tif 000008
【図７】
2009085514.tif 000009
【図８】
2009085514.tif 000010
【図９】
2009085514.tif 000011
【図１０】
2009085514.tif 000012
【図１１】
2009085514.tif 000013
【図１２】
2009085514.tif 000014
【図１３】
2009085514.tif 000015
【図１４】
2009085514.tif 000016
【図１５】
2009085514.tif 000017
【図１６】
2009085514.tif 000018